(57)【要約】【課題】ジャーナルが偽造または変造された場合でも入金者の銀行口座に現金を誤って振り込んでしまうことを防止することができ、しかも貨幣処理機をオフラインで運用することができるためコストを低減することができる貨幣処理機、貨幣処理システムおよび貨幣処理方法を提供する。【解決手段】貨幣処理機（紙幣入金機１）は、少なくとも印字部（プリンター６）によりジャーナルに印字される入金情報の一部または全部に基づいて、ジャーナルを受け取る受取者が当該ジャーナルの真偽を判断するのに有用な情報であるユニークコードを生成するユニークコード生成部８０を備えている。印字部は、貨幣処理機に入金された貨幣に関する情報である入金情報に加え、ユニークコード生成部８０により生成されたユニークコードもジャーナルに印字するようになっている。【選択図】図２
2014035648.tif 000002
【特許請求の範囲】
【請求項１】
少なくとも貨幣の入金処理を行う貨幣処理機であって、
前記貨幣処理機に入金された貨幣に関する情報である入金情報をジャーナルに印字する印字部と、
少なくとも前記印字部によりジャーナルに印字される入金情報の一部または全部に基づいて、ジャーナルを受け取る受取者が当該ジャーナルの真偽を判断するのに有用な情報であるユニークコードを生成するユニークコード生成部と、
を備え、
前記印字部は、前記ユニークコード生成部により生成されたユニークコードもジャーナルに印字するようになっている、貨幣処理機。
【請求項２】
前記ユニークコード生成部は、前記印字部によりジャーナルに印字される入金情報の一部または全部に加えて、ジャーナルに印字されない情報も参照してユニークコードを生成するようになっている、請求項１記載の貨幣処理機。
【請求項３】
前記印字部によりジャーナルに印字される入金情報は、少なくとも入金年月日または入金時刻を含む、請求項１または２記載の貨幣処理機。
【請求項４】
前記ユニークコード生成部により生成されるユニークコードは、数字、アルファベット、バーコード、あるいは数字、アルファベット、バーコードの一部または全部を組み合わせたものである、請求項１乃至３のいずれか一項に記載の貨幣処理機。
【請求項５】
請求項１乃至４のいずれか一項に記載の貨幣処理機と、前記貨幣処理機によって印字されたジャーナルを受け付ける受付処理機とを含む貨幣処理システムであって、
前記受付処理機は、前記貨幣処理機の前記ユニークコード生成部によるユニークコードの生成方法と同じ方法でユニークコードを生成する追加のユニークコード生成部と、前記追加のユニークコード生成部により生成されたユニークコードを出力する出力部と、を有している、貨幣処理システム。
【請求項６】
少なくとも貨幣の入金処理を行う貨幣処理機による貨幣処理方法であって、
前記貨幣処理機に入金された貨幣に関する情報である入金情報をジャーナルに印字する工程と、
少なくともジャーナルに印字される入金情報の一部または全部に基づいて、ジャーナルを受け取る受取者が当該ジャーナルの真偽を判断するのに有用な情報であるユニークコードを生成する工程と、
を備え、
入金情報をジャーナルに印字する工程において、生成されたユニークコードもジャーナルに印字する、貨幣処理方法。
【請求項７】
ユニークコードを生成する工程において、ジャーナルに印字される入金情報の一部または全部に加えて、ジャーナルに印字されない情報も参照してユニークコードを生成する、請求項６記載の貨幣処理方法。
【請求項８】
ジャーナルに印字される入金情報は、少なくとも入金年月日または入金時刻を含む、請求項６または７記載の貨幣処理方法。
【請求項９】
生成されるユニークコードは、数字、アルファベット、バーコード、あるいは数字、アルファベット、バーコードの一部または全部を組み合わせたものである、請求項６乃至８のいずれか一項に記載の貨幣処理方法。
【発明の詳細な説明】
【技術分野】
【０００１】
本発明は、少なくとも貨幣の入金処理を行う貨幣処理機、このような貨幣処理機を備えた貨幣処理システム、および貨幣処理機による貨幣処理方法に関する。
【背景技術】
【０００２】
従来から、銀行等において、紙幣や硬貨等の貨幣の入金処理を行う貨幣入金機をロビーに設置するような運用が行われている。このような貨幣入金機としては、例えば特許文献１等に開示されるものが知られている。貨幣入金機がロビーに設置されているような銀行等では、貨幣を入金したい入金者はまず貨幣入金機で貨幣の入金処理を行う。貨幣入金機において貨幣の入金処理が行われると、当該貨幣入金機において、入金された貨幣に関する情報である入金情報がジャーナル（レシート）に印字され、このジャーナルが貨幣入金機から投出される。ジャーナルには、例えば入金年月日や入金時刻、入金金額、入金ＩＤ情報が入金情報として印字される。なお、入金ＩＤ情報とは、例えば入金者自身の番号である客番号や、取引番号等のことをいう。そして、入金者は、貨幣入金機から受け取ったジャーナルを銀行等の窓口のテラー（店員）に手渡す。テラーは、入金者から受け取ったジャーナルに印字された入金情報を参照して、入金者の銀行口座に、貨幣入金機に入金された貨幣と同額の現金を振り込む。
【先行技術文献】
【特許文献】
【０００３】
【特許文献１】特開２０１１−１００２７５号公報
【発明の概要】
【発明が解決しようとする課題】
【０００４】
しかしながら、貨幣入金機をロビーに設置するような運用が行われている場合において、ジャーナルが偽造または変造された場合には、銀行等の窓口のテラーがジャーナルの偽造や変造に気付かず、入金者の銀行口座に現金を振り込んでしまう場合がある。このようなジャーナルの偽造や変造による誤った振り込みを防止するために、上位端末を用意し、ロビーに設置された貨幣入金機を上位端末に通信接続し、貨幣入金機における貨幣の入金処理に関する情報を貨幣入金機から上位端末に送信する方法が従来から用いられてきた。このことにより、銀行等の窓口のテラーは、上位端末により貨幣入金機における入金情報を確認することができ、ジャーナルの偽造や変造による誤った振り込みを防止することができる。しかしながら、このような方法では、貨幣入金機と上位端末とを通信接続する必要があり、貨幣入金機をオフラインで運用することができないという問題があった。
【０００５】
本発明は、このような点を考慮してなされたものであり、ジャーナルを受け取る受取者が当該ジャーナルの真偽を判断するのに有用な情報であるユニークコードをジャーナルに印字することにより、ジャーナルの受取者はユニークコードに基づいてジャーナルの真偽を判断することができるため、ジャーナルが偽造または変造された場合でも入金者の銀行口座に現金を誤って振り込んでしまうことを防止することができ、しかも貨幣処理機をオフラインで運用することができるためコストを低減することができる貨幣処理機、貨幣処理システムおよび貨幣処理方法を提供することを目的とする。
【課題を解決するための手段】
【０００６】
本発明は、少なくとも貨幣の入金処理を行う貨幣処理機であって、前記貨幣処理機に入金された貨幣に関する情報である入金情報をジャーナルに印字する印字部と、少なくとも前記印字部によりジャーナルに印字される入金情報の一部または全部に基づいて、ジャーナルを受け取る受取者が当該ジャーナルの真偽を判断するのに有用な情報であるユニークコードを生成するユニークコード生成部と、を備え、前記印字部は、前記ユニークコード生成部により生成されたユニークコードもジャーナルに印字するようになっている、貨幣処理機である。
【０００７】
このような貨幣処理機によれば、ユニークコード生成部は、印字部によりジャーナルに印字される入金情報に基づいて、ジャーナルを受け取る受取者が当該ジャーナルの真偽を判断するのに有用な情報であるユニークコードを生成し、印字部は、入金情報に加えて、ユニークコード生成部により生成されたユニークコードもジャーナルに印字するようになっている。このように、ユニークコードをジャーナルに印字することにより、受取者はユニークコードに基づいてジャーナルの真偽を判断することができるため、ジャーナルが偽造または変造された場合でも受取者が入金者の銀行口座に現金を誤って振り込んでしまうことを防止することができる。しかも貨幣処理機をオフラインで運用することができるためコストを低減することができる。
【０００８】
本発明の貨幣処理機においては、前記ユニークコード生成部は、前記印字部によりジャーナルに印字される入金情報の一部または全部に加えて、ジャーナルに印字されない情報も参照してユニークコードを生成するようになっていてもよい。
【０００９】
本発明の貨幣処理機においては、前記印字部によりジャーナルに印字される入金情報は、少なくとも入金年月日または入金時刻を含むようになっていてもよい。
【００１０】
本発明の貨幣処理機においては、前記ユニークコード生成部により生成されるユニークコードは、数字、アルファベット、バーコード、あるいは数字、アルファベット、バーコードの一部または全部を組み合わせたものであってもよい。
【００１１】
本発明は、上述した貨幣処理機と、前記貨幣処理機によって印字されたジャーナルを受け付ける受付処理機とを含む貨幣処理システムであって、前記受付処理機は、前記貨幣処理機の前記ユニークコード生成部によるユニークコードの生成方法と同じ方法でユニークコードを生成する追加のユニークコード生成部と、前記追加のユニークコード生成部により生成されたユニークコードを出力する出力部と、を有している、貨幣処理システムである。
【００１２】
本発明は、少なくとも貨幣の入金処理を行う貨幣処理機による貨幣処理方法であって、前記貨幣処理機に入金された貨幣に関する情報である入金情報をジャーナルに印字する工程と、少なくともジャーナルに印字される入金情報の一部または全部に基づいて、ジャーナルを受け取る受取者が当該ジャーナルの真偽を判断するのに有用な情報であるユニークコードを生成する工程と、を備え、入金情報をジャーナルに印字する工程において、生成されたユニークコードもジャーナルに印字する、貨幣処理方法である。
【００１３】
このような貨幣処理方法によれば、ジャーナルに印字される入金情報に基づいて、ジャーナルを受け取る受取者が当該ジャーナルの真偽を判断するのに有用な情報であるユニークコードを生成し、入金情報をジャーナルに印字する工程において、入金情報に加えて、ユニークコードもジャーナルに印字するようになっている。このように、ユニークコードをジャーナルに印字することにより、受取者はユニークコードに基づいてジャーナルの真偽を判断することができるため、ジャーナルが偽造または変造された場合でも受取者が入金者の銀行口座に現金を誤って振り込んでしまうことを防止することができる。しかも貨幣処理機をオフラインで運用することができるためコストを低減することができる。
【００１４】
本発明の貨幣処理方法においては、ユニークコードを生成する工程において、ジャーナルに印字される入金情報の一部または全部に加えて、ジャーナルに印字されない情報も参照してユニークコードを生成するようになっていてもよい。
【００１５】
本発明の貨幣処理方法においては、ジャーナルに印字される入金情報は、少なくとも入金年月日または入金時刻を含むようになっていてもよい。
【００１６】
本発明の貨幣処理方法においては、生成されるユニークコードは、数字、アルファベット、バーコード、あるいは数字、アルファベット、バーコードの一部または全部を組み合わせたものであってもよい。
【発明の効果】
【００１７】
本発明の貨幣処理機、貨幣処理システムおよび貨幣処理方法によれば、ジャーナルが偽造または変造された場合でも入金者の銀行口座に現金を誤って振り込んでしまうことを防止することができ、しかも貨幣処理機をオフラインで運用することができるためコストを低減することができる。
【図面の簡単な説明】
【００１８】
【図１】本発明の第１の実施の形態における紙幣入金機が設置された銀行等の金融機関の店舗の全体構成を示す概略構成図である。
【図２】本発明の第１の実施の形態における紙幣入金機の構成を示す斜視図である。
【図３】図２に示す紙幣入金機の側方断面図である。
【図４】図２等に示す紙幣入金機の表示入力部の具体的構成を示す構成図である。
【図５Ａ】図２等に示す紙幣入金機の機能ブロック図である。
【図５Ｂ】図１における受付処理機の機能ブロック図である。
【図６】図２等に示す紙幣入金機における紙幣の入金処理を示すフローチャートである。
【図７】図２等に示す紙幣入金機のプリンターにより印字されたジャーナルの記載内容を示す図である。
【図８】図２等に示す紙幣入金機のプリンターにより印字されたジャーナルの他の記載内容を示す図である。
【図９】本発明の第２の実施の形態に係る紙幣入金機におけるＩＤ入力方法を示すフローチャートである。
【図１０】図９に示すＩＤ入力方法においてＩＤ２回入力処理モードを行った際の紙幣入金機の表示入力部のモニタにおける表示画面を示す図である。
【図１１】本発明の第３の実施の形態に係る紙幣入金機におけるＩＤ入力方法を示すフローチャートである。
【図１２】図１１に示すＩＤ入力方法においてＩＤ非表示処理モードを行った際の紙幣入金機の表示入力部のモニタにおける表示画面を示す図である。
【図１３】本発明の第４の実施の形態に係る紙幣入金機における収納カセットの交換方法を示すフローチャートである。
【発明を実施するための形態】
【００１９】
〔第１の実施の形態〕
以下、図面を参照して本発明の第１の実施の形態について説明する。図１乃至図８は、本実施の形態に係る紙幣入金機（貨幣処理機）およびこの紙幣入金機が設置された銀行等の金融機関の店舗の全体構成を示す図である。
【００２０】
まず、本実施の形態による紙幣入金機が設置された銀行等の金融機関の店舗の全体構成について図１を用いて説明する。図１に示すように、銀行等の金融機関の店舗１００のロビーには、１または複数の紙幣入金機１が設置されている（図１では、１つの紙幣入金機１のみが店舗１００のロビーに設置された例が示されている）。そして、貨幣を入金したい入金者（図１において参照符号Ａで表示）は、まず紙幣入金機１で紙幣（図１において参照符号ａで表示）の入金処理を行う。紙幣入金機１において紙幣の入金処理が行われると、当該紙幣入金機１において、入金された紙幣に関する情報である入金情報がジャーナル（レシート）に印字され、このジャーナルが紙幣入金機１から投出される。図１では、紙幣入金機１から投出されたジャーナルを参照符号ｂで表示している。ジャーナルには、例えば入金年月日、入金時刻、入金された紙幣の金種毎の枚数、入金された紙幣の合計金額、入金ＩＤ情報等が入金情報として印字されるようになっている。なお、入金ＩＤ情報とは、例えば入金者自身の番号である客番号や、取引番号等のことをいう。
【００２１】
また、紙幣入金機１において、機体内に投入された紙幣が正常な紙幣である場合には当該紙幣は紙幣入金機１内に収納されるが、機体内に投入された紙幣が正常な紙幣ではないリジェクト紙幣（偽券、傷みの激しい紙幣、搬送異常紙幣等）である場合にはこのリジェクト紙幣は機体外へ払い戻されるようになっている。図１では、紙幣入金機１から払い戻されたリジェクト紙幣を参照符号ｃで示している。紙幣入金機１で紙幣の入金処理を行った入金者は、紙幣入金機１から投出されたジャーナルおよび紙幣入金機１から払い戻されたリジェクト紙幣を受け取ると、金融機関の店舗１００のロビーに設置されたテーブル３００まで移動し、このテーブル３００で伝票（図１において参照符号ｄで表示）の記入を行う。伝票には、入金すべき硬貨および紙幣の金種毎の枚数や合計金額等を記入する。
【００２２】
そして、入金者は、金融機関の店舗１００のロビーに設置された窓口カウンター２００まで移動し、この窓口カウンター２００で、図１において参照符号Ｂで示されるテラー（行員）に、紙幣入金機１から受け取ったジャーナル、紙幣入金機１から払い戻されたリジェクト紙幣、テーブル３００で記入した伝票、および銀行の預金通帳（図１において参照符号ｅで表示）等をそれぞれ手渡す。また、入金者が硬貨の入金を行いたい場合や紙幣入金機１でリジェクトされた紙幣を入金したい場合は、テラーに硬貨やリジェクト紙幣を直接手渡すと、テラーは硬貨およびリジェクト紙幣を計数する。次に、入金者から受け取ったジャーナルに印字された入金情報を参照して、入金者の銀行口座に、紙幣入金機１に入金された紙幣、および入金者から直接手渡された硬貨およびリジェクト紙幣の合計金額と同額の現金を振り込む。また、図１に示すように、窓口カウンター２００におけるテラー側には受付処理機２１０がテラー毎に設けられている。この受付処理機２１０は、入金者からテラーに手渡されたジャーナルを受け付けるようになっている。受付処理機２１０の構成の詳細については後述する。また、窓口カウンター２００におけるテラー側には、紙幣の真偽判定用のランプ（具体的には、例えばバイオレットランプ）が設けられており、この真偽判定用のランプにより紙幣が照らされると、当該紙幣が真正なものである場合には、当該紙幣に印刷された蛍光インクが光るようになっている。テラーは、入金者から受け取ったリジェクト紙幣を真偽判定用のランプで照らすことにより、この紙幣が真正なものか、あるいは偽券であるかを判定することができるようになっている。
【００２３】
次に、金融機関の店舗１００のロビーに設置される紙幣入金機１の構成の詳細について図２乃至図５Ａを用いて説明する。図２は、本実施の形態における紙幣入金機１の構成を示す斜視図であり、図３は、図２に示す紙幣入金機１の側方断面図である。図２および図３に示すように、紙幣入金機１は、筐体１ａと、筐体１ａに設けられて複数の紙幣Ｐが載置される載置部２０と、載置部２０に載置された複数の紙幣Ｐを１枚ずつ筐体１ａ内に取り込む受入部２５と、受入部２５により筐体１ａ内に取り込まれた紙幣Ｐを搬送する搬送部３０と、搬送部３０で搬送された紙幣Ｐを集積する集積部６０と、搬送部３０に設けられ、当該搬送部３０で搬送される紙幣Ｐの識別を行うとともに紙幣Ｐの計数を行う識別部４０と、集積部６０に集積された紙幣Ｐを受け入れて収納する収納カセット７０と、を備えている。
【００２４】
このうち、受入部２５は、図３に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１ａの内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００２５】
また、図３に示すように、搬送部３０は、紙幣Ｐを搬送する搬送ベルト３１、搬送ローラ３２等で構成されている。また、搬送部３０の最下流部で、集積部６０近傍には、搬送部３０で搬送された紙幣Ｐを１枚毎に羽根３５ａの間で受け止めて集積部６０に整列集積させる羽根車３５が設けられている。
【００２６】
また、図３に示すように、集積部６０は、集積紙幣Ｐを前面側に傾斜させた状態で集積させる形状となっており、搬送部３０から送られた紙幣Ｐを支持部６４で支持させることで、前面側に傾斜させた立位状態で紙幣Ｐを集積するように構成されている。この集積部６０には、紙幣の有無を検出する紙幣有無検知センサ６０ａが配置されている。なお、本願で前面側とは、操作者が紙幣Ｐを載置部２０に載置したり、集積部６０から紙幣Ｐを取り出したりする側のことを意味し、図３の右側のことを意味している。他方、本願で後面側とは、前面側と反対側を意味し、図３の左側のことを意味している。
【００２７】
また、図２および図３に示すように、集積部６０の前面側には、集積された紙幣Ｐを外部から取り出すための前面開口を開閉するための前面シャッター部６２が設けられている。この前面シャッター部６２は、後述する制御部５０によって、少なくとも挟持搬送機構１０（後述）によって紙幣Ｐを収納カセット７０へ搬送しているときに開放不可能となるように制御されている。
【００２８】
また、図３に示すように、集積部６０には、当該集積部６０に集積された紙幣Ｐの表面を挟持し、その表面と平行な方向へ当該紙幣Ｐを搬送することで収納カセット７０へ紙幣Ｐを収納させる挟持搬送機構１０が設けられている。より具体的には、挟持搬送機構１０は、集積部６０に集積された複数の紙幣Ｐのうち最も前面側に位置する紙幣Ｐの表面と最も後面側に位置する紙幣Ｐの表面を挟持し、当該複数の紙幣Ｐを一括して収納カセット７０へ搬送することができるように構成されている（図３の矢印Ａ１参照）。
【００２９】
また、図３に示すように、収納カセット７０には、挟持搬送機構１０で搬送される紙幣Ｐを取り込むためのスリット状のスリット開口部７１と、当該スリット開口部７１を開閉するためのスリットシャッター部７２が設けられている。なお、収納カセット７０は図２に示す収納筐体７５内に取り出し自在に収納されている。また、図２に示すように、収納カセット７０は、扉７７を開けて、紙幣入金機１への装填及び取り外しが可能である。より詳細には、扉７７には把手７６および電磁キー（図示せず）が設けられており、制御的に電磁キーを解錠し、把手７６を回して扉７７を開くようになっている。紙幣入金機１への収納カセット７０の装填、及び紙幣入金機１からの収納カセット７０の取り外しは、警送会社の警備員により行われる。
【００３０】
また、図２に示すように、紙幣入金機１の筐体１ａには、所定の情報を表示する機能およびデータ入力を可能とする機能を有する表示入力部５が設けられている。このような表示入力部５の具体的構成を図４に示す。図４に示すように、表示入力部５は、紙幣Ｐの入金情報等を表示するモニタ５ａと、操作者が様々な指令を入力するための複数の入力キー５ｂとから構成されている。モニタ５ａには、例えば、収納カセット７０に収納された紙幣Ｐの金種毎の枚数や合計金額等が表示されるようになっている。図４に示すように、複数の入力キー５ｂは、メニューキー、交換キー、クリアキー、確定キー、上下左右各方向の矢印キー、シフトキー、モードキー、締めキー、回収キー、スタート／ストップキー等から構成されている。
【００３１】
また、図２に示すように、紙幣入金機１の筐体１ａには、紙幣Ｐの入金情報等を印字するプリンター６や、後述する制御部５０に対して操作者が様々な入力を行うためのテンキー７、操作者のＩＤ情報を得るために当該操作者が保持するＩＤカードの読み取りを行うカード読取部８がそれぞれ設けられている。
【００３２】
また、図３に示すように、搬送部３０には、異常時に、集積部６０に搬送されない紙幣Ｐが搬送されるリジェクト部６５が設けられている。
【００３３】
ここで言う異常とは、識別異常および搬送異常を意味している。識別異常とは、識別部４０で識別された情報が制御部５０に予め記憶された情報と一致しない場合のことを意味している。そして、このような識別異常としては、例えば、識別された紙幣Ｐが予定していた種類と異なる種類の紙幣Ｐであると識別されたときや、そもそも紙幣Ｐの種類を識別することができなかったとき（具体的には、損傷の激しい紙幣や偽券を含む）などを挙げることができる。
【００３４】
また、搬送異常とは、搬送部３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００３５】
本実施の形態の紙幣入金機１には、図５Ａに示すような制御部５０が設けられており、この制御部５０が、紙幣入金機１の各構成要素を制御するようになっている。図５Ａに示すように、制御部５０には、受入部２５、搬送部３０、識別部４０、前面シャッター部６２、挟持搬送機構１０、スリットシャッター部７２、表示入力部５、プリンター６、テンキー７、カード読取部８等がそれぞれ接続されている。そして、識別部４０により識別計数された紙幣Ｐの識別計数情報は制御部５０に送られるようになっている。また、制御部５０は、識別部４０による紙幣Ｐの識別計数結果に基づいて、識別部４０により識別および計数が行われた紙幣Ｐが正常な紙幣かそれ以外のリジェクト紙幣かを判別する判別部として機能するようになっている。
【００３６】
また、表示入力部５の各入力キー５ｂやテンキー７により入力された操作者からの様々な指令は制御部５０に送られるようになっている。また、カード読取部８により読み取られた操作者のＩＤ情報等も制御部５０に送られるようになっている。また、制御部５０は、受入部２５、搬送部３０、前面シャッター部６２、挟持搬送機構１０、スリットシャッター部７２、表示入力部５、プリンター６等の各構成要素に制御信号を送り、これらの構成要素の制御を行うようになっている。
【００３７】
また、図５Ａに示すように、制御部５０には記憶部５４が接続されている。記憶部５４には、紙幣入金機１を特定する装置ＩＤ等の事前に設定される情報や、紙幣Ｐの計数結果等が記憶されるようになっている。
【００３８】
また、図５Ａに示すように、制御部５０にはインターフェース部５６が接続されており、このインターフェース部５６を介して制御部５０は外部装置と信号の送受信を行うことができるようになっている。
【００３９】
次に、上述のような構成からなる紙幣入金機１の動作（具体的には、紙幣入金機１における入金処理の一連の流れ）について、図６に示すフローチャートを用いて説明する。
【００４０】
入金者によって、載置部２０に紙幣Ｐが載置されると（ＳＴＥＰ１の「ＹＥＳ」）、受入部２５によって、載置部２０に載置された複数の紙幣Ｐが一枚ずつ機内に取り込まれる（ＳＴＥＰ２）。このとき、キッカローラ２６によって載置部２０に載置された複数の紙幣Ｐのうち最も下方に位置する紙幣Ｐが蹴り出され、この蹴り出された紙幣Ｐはフィードローラ２７ａによって繰り出される。また、ゲートローラ２７ｂの作用により、フィードローラ２７ａによって繰り出される紙幣Ｐが１枚ずつに分離される。
【００４１】
次に、搬送部３０によって、受入部２５で取り込まれた紙幣Ｐが搬送される。このとき、搬送部３０に設けられた識別部４０によって、搬送部３０で搬送される紙幣Ｐが識別計数される（ＳＴＥＰ３）。制御部５０は、識別部４０による識別計数結果に基づいて、識別部４０により識別および計数が行われた紙幣Ｐが正常な紙幣かそれ以外のリジェクト紙幣かを判別する。
【００４２】
搬送部３０で紙幣Ｐが搬送されているときに識別異常や搬送異常が発生した場合には（ＳＴＥＰ４の「ＹＥＳ」）、当該紙幣Ｐはリジェクト部６５へと搬送される（ＳＴＥＰ５）。他方、このような識別異常や搬送異常が発生しない場合には（ＳＴＥＰ４の「ＮＯ」）、搬送されている紙幣Ｐは集積部６０に搬送される（ＳＴＥＰ６）。
【００４３】
このように集積部６０へ紙幣Ｐが搬送される際に、当該紙幣Ｐは、羽根車３５の羽根３５ａの間で受け止められて集積部６０に整列集積される。そして、羽根車３５によって搬送された紙幣Ｐは、集積部６０内で、前面側に傾斜させた立位状態で集積されることとなる。表示入力部５には、集積部６０内に集積された紙幣Ｐの金種毎の枚数や合計金額が表示されるようになる。また、識別計数結果（集積部６０内に集積された紙幣Ｐの金種毎の枚数や合計金額等）が入金者のＩＤ情報と合わせて記憶部５４に記憶される。
【００４４】
上述のようにして、載置部２０に載置された複数の紙幣Ｐの全てが集積部６０に搬送されて、載置部２０に紙幣Ｐが存在しなくなると（ＳＴＥＰ７の「ＹＥＳ」）、集積部６０に集積された紙幣Ｐの金種毎の枚数や合計金額に対する承認指示を求める表示が表示入力部５に表示される（ＳＴＥＰ８）。
【００４５】
そして、ＳＴＥＰ９の「ＹＥＳ」に示すように、入金者により承認指示が表示入力部５から入力されると（具体的には、入金者が表示入力部５の確定キーを押下すると）、集積部６０に集積された紙幣Ｐが、挟持搬送機構１０によって、スリット開口部７１を通過して、収納カセット７０内に収納される（ＳＴＥＰ１０）（図３の矢印Ａ１参照）。なおこのとき、スリットシャッター部７２が前面側に移動されており、スリット状のスリット開口部７１が開状態となっている。他方、紙幣Ｐが収納カセット７０内に収納されるとき以外は、スリットシャッター部７２は後面側に移動されており、スリット開口部７１は閉状態となっている。集積部６０に集積された紙幣が収納カセット７０に収納されると、以下に示すような残留チェック処理が行われる。残留チェック処理とは、紙幣の計数処理後に１、２枚の紙幣が集積部６０から跳ね上がり、羽根車３５の上に乗ってしまったときに、このような羽根車３５の上に乗った残留紙幣をチェックする処理のことをいう。羽根車３５の上に乗ってしまった紙幣は既に計数されており、入金者により承認指示が入力された場合には収納カセット７０へ回収されるべき紙幣であるが、この状態でスリットシャッター部７２を開閉させても収納カセット７０内に送り込まれないため、違算の原因となってしまう。残留チェック処理では、羽根車３５の上に乗ってしまった残留紙幣をチェックすることにより、このようなトラブルを防止することができる。残留チェック処理について具体的に説明すると、まず、スリットシャッター部７２を後面側に移動させ、スリット開口部７１を閉状態とする。次に、羽根車３５を数秒程度回転させる（ＳＴＥＰ１１）。このような羽根車３５の動作により、残留紙幣が羽根車３５の上に乗っている場合でも、このような残留紙幣は集積部６０に落下するようになる。そして、集積部６０に設けられた紙幣有無検知センサ６０ａにより紙幣が検知されるか否かをチェックする（ＳＴＥＰ１２）。紙幣有無検知センサ６０ａにより紙幣が検知されたときには（ＳＴＥＰ１２の「ＹＥＳ」）、スリットシャッター部７２を前面側に移動し、スリット状のスリット開口部７１を開状態として、集積部６０に集積された紙幣Ｐを、挟持搬送機構１０によって、スリット開口部７１を通過して、収納カセット７０内に収納させる。一方、紙幣有無検知センサ６０ａにより紙幣が検知されなかったときには（ＳＴＥＰ１２の「ＮＯ」）、残留チェック処理が終了し、入金が確定される（ＳＴＥＰ１３）。このような残留チェック処理により、紙幣の計数処理後に１、２枚の紙幣が集積部６０から跳ね上がり、羽根車３５の上に乗ってしまったときでも、羽根車３５の上に乗った残留紙幣を収納カセット７０内に収納させることができる。残留チェック処理が終了すると、プリンター６によりジャーナル（レシート）に入金情報（入金年月日、入金時刻、入金された紙幣Ｐの金種毎の枚数、入金された紙幣Ｐの合計金額、入金ＩＤ情報等）が印字され（ＳＴＥＰ１４）、このジャーナルが紙幣入金機１から投出される。
【００４６】
なお、リジェクト部６５に紙幣Ｐが存在する場合には、入金者が、その紙幣Ｐを再度、載置部２０に載置して、前述と同様の工程が繰り返されて、全ての紙幣Ｐが集積部６０へ搬送されるようにする。しかしながら、何度やってもリジェクト部６５に搬送される紙幣Ｐについては、受付できない紙幣Ｐとして判断されて収納対象から除かれる。このリジェクト紙幣については、入金することをあきらめるか、窓口に持ち込んで入金処理を行うことになる。また、集積部６０内に集積された紙幣Ｐの金種毎の枚数や合計金額について入金者が承認できない場合には（ＳＴＥＰ９の「ＮＯ」）、当該入金者は返却指示を表示入力部５によって入力することにより前面シャッター部６２が開放されて集積紙幣Ｐが取り出し可能となり（ＳＴＥＰ１５）（図３の矢印Ａ２参照）、集積部６０に集積された紙幣Ｐが入金者により回収されると（ＳＴＥＰ１６の「ＹＥＳ」）、処理が終了する。
【００４７】
次に、図６のフローチャートに示すような紙幣Ｐの入金処理が行われたときに、プリンター６によりジャーナルに印字される入金情報の詳細について図７を用いて説明する。図７は、紙幣入金機１のプリンター６により打ち出されたジャーナルの記載内容を示す図である。図７に示すジャーナルの記載内容において、［ＤＥＰＯＳＩＴ  Ｎｏ．  ４］という記載は、取引番号を示しており、２２／０５／２０１２、１８：２４：４１という記載は、それぞれ入金年月日および入金時刻を示している。また、００００−Ｎｏ．０００００００−００という記載は、紙幣入金機１の装置ＩＤ（具体的には、どの店舗の何号機であるかという情報）を示しており、ＩＤ  Ｎｏ．１１−１１１１という記載は、入金者のＩＤ情報を示している。また、ＣＵＲＲＥＮＣＹの記載において、ＤＥＮＯＭＩという記載は紙幣Ｐの金種を示しており、ＰＣＳという記載は入金された紙幣Ｐの枚数を示しており、ＡＭＯＵＮＴという記載は、紙幣Ｐの各金種の合計金額を示している。また、下段にある「ＴＯＴＡＬ」の記載において、入金された紙幣Ｐの枚数、および入金された全ての金種の紙幣Ｐの合計金額が示されている。
【００４８】
本実施の形態の紙幣入金機１では、図５Ａに示すように、制御部５０にはユニークコード生成部８０が接続されている。ユニークコード生成部８０は、少なくともプリンター６によりジャーナルに印字される入金情報の一部または全部に基づいて、ジャーナルを受け取るテラー（受取者）が当該ジャーナルの真偽を判断するのに有用な情報であるユニークコードを生成するようになっている。そして、プリンター６は、入金情報に加えて、ユニークコード生成部８０により生成されたユニークコードもジャーナルに印字するようになっている。具体的には、図７においてジャーナルの最も下部に示される「８９」という数字がユニークコードである。
【００４９】
ユニークコード生成部８０によるユニークコードの生成方法について以下に説明する。前述したように、ユニークコード生成部８０は、少なくともプリンター６によりジャーナルに印字される入金情報の一部または全部に基づいてユニークコードを生成するようになっているが、具体的には、ジャーナルの様々な数字の表記について、各々の数字の各桁の値を全て足したものをユニークコードとしている。すなわち、図７に示すようなジャーナルの［ＤＥＰＯＳＩＴ  Ｎｏ．  ４］という記載における「４」という値、「２２／０５／２０１２  １８：２４：４１」という記載における「２」「２」「０」「５」「２」「０」「１」「２」「１」「８」「２」「４」「４」「１」という各桁の値、「００００−Ｎｏ．０００００００−００」という記載における各桁の「０」という値、「ＩＤ  Ｎｏ．１１−１１１１」という記載における各桁の「１」という値を足し合わせるとともに、ＣＵＲＲＥＮＣＹの記載について「２０  ３  ６０」という記載における「２」「０」「３」「６」「０」という各桁の値、「１０  １０  １００」という記載における「１」「０」「１」「０」「１」「０」「０」という各桁の値、「１  ７  ７」という記載における「１」「７」「７」という各桁の値、「ＴＯＴＡＬ  ２０  １６７」という記載における「２」「０」「１」「６」「７」という各桁の値を全て足し合わせると「８９」となる。そして、この「８９」という数字をユニークコードとしてプリンター６はジャーナルに印字する。ジャーナルに印字されるユニークコードは、紙幣入金機１において入金処理を行った入金者（図１において参照符号Ａで表示）がその内容を理解することができず、かつ、ジャーナルを受け取るテラー（図１において参照符号Ｂで表示）がその内容を理解することができるようなものとなっている。
【００５０】
ユニークコードの他の例について以下に説明する。図２等に示すような紙幣入金機１では、識別部４０で識別できない損券・損貨や、商品券、小切手等の現金以外の有価媒体を、紙幣入金機１の収納カセット７０に収納させることができるようになっている。具体的には、操作者は、表示入力部５により、有価媒体に係る情報、具体的には有価媒体の金額等を制御部５０に入力し、確定キーを押下する。そうすると、プリンター６により、操作者によって制御部５０に入力された有価媒体に係る情報がジャーナルに印字される。プリンター６により印字されたジャーナルを図８に示す。また、このときに、制御部５０によって前面シャッター部６２が開放され、有価媒体が入った封筒を集積部６０に入れることができるようになる。
【００５１】
その後、操作者が、有価媒体が入った封筒と、有価媒体の情報が印字されたジャーナルを集積部６０にセットし、確定キーを押下すると、前面シャッター部６２が閉止する。そして、集積部６０にセットされた、有価媒体が入った封筒およびジャーナルが、挟持搬送機構１０によって、スリット開口部７１を通過して、収納カセット７０内に収納される（図３の矢印Ａ１参照）。また、有価媒体が入った封筒が収納カセット７０内に収納されると、収納カセット７０内の有価媒体は店舗の管理権限下ではなく警送会社の管理権限下となる。このようにして、有価媒体を収納カセット７０に収納させる動作が終了する。
【００５２】
図８に示すように、識別部４０で識別できない損券・損貨や、商品券、小切手等の現金以外の有価媒体を、紙幣入金機１の収納カセット７０に収納させる場合でも、ユニークコード生成部８０は、少なくともプリンター６によりジャーナルに印字されるべき入金情報の一部または全部に基づいてユニークコードを生成し、プリンター６は、入金情報に加えて、ユニークコード生成部８０により生成されたユニークコードをジャーナルに印字する。具体的には、図７に示すユニークコードの生成方法と同様に、ジャーナルの様々な数字の表記について、各々の数字の各桁の値を全て足したものをユニークコードとしている。すなわち、図８に示すようなジャーナルの［ＳＥＲＩＡＬ  Ｎｏ．００１］という記載における「０」「０」「１」という値、「２２／０５／２０１２  １８：２７：３９」という記載における「２」「２」「０」「５」「２」「０」「１」「２」「１」「８」「２」「７」「３」「９」という各桁の値、「００００−Ｎｏ．０００００００−００」という記載における各桁の「０」という値、「ＩＤ  Ｎｏ．２２−２２２２」という記載における各桁の「２」という値を足し合わせるとともに、ＡＭＯＵＮＴの記載について「１２３，４５６．０００」という数字の表記における「１」「２」「３」「４」「５」「６」「０」「０」「０」という各桁の値を全て足し合わせると「７８」となる。そして、この「７８」という数字をユニークコードとしてプリンター６はジャーナルに印字する。
【００５３】
入金者が紙幣入金機１からジャーナルを受け取った後、窓口カウンター２００まで移動し、この窓口カウンター２００で、テラー（行員）にジャーナルを手渡すと、テラーは、受け取ったジャーナルにおける入金情報からユニークコードを計算し、ジャーナルに印字されているユニークコードと照合することにより、正規のジャーナルであるか否かを確認することができる。すなわち、ジャーナルが偽造または変造された場合には、ジャーナルにはユニークコードが記載されていないか、あるいはジャーナルとして正規の数字ではない数字が記載されるようになるため、テラーは、ジャーナルが偽造または変造されたものであることをすぐに判断することができるようになる。このようにして、ジャーナルが偽造または変造された場合でも、テラーが入金者の銀行口座に現金を誤って振り込んでしまうことを防止することができる。
【００５４】
次に、窓口カウンター２００におけるテラー側に設けられた受付処理機２１０（図１参照）の構成について図５Ｂを用いて説明する。図５Ｂは、図１における受付処理機２１０の機能ブロック図である。
【００５５】
図５Ｂに示すように、受付処理機２１０は、制御部２１２と、読み取り部２１４と、ユニークコード生成部２１６と、表示部２１８とを備えている。ここで、読み取り部２１４、ユニークコード生成部２１６、表示部２１８はそれぞれ制御部２１２に接続されている。読み取り部２１４は、例えばスキャナ等からなり、テラーが入金者から受け取ったジャーナルに記載された入金情報を読み取ることができるようになっている。ユニークコード生成部２１６は、読み取り部２１４により読み取られた情報に基づいて、紙幣入金機１のユニークコード生成部８０によるユニークコードの生成方法と同じ方法でユニークコードを生成するようになっている。表示部２１８は、読み取り部２１４により読み取られた、ジャーナルに記載された入金情報等を表示するモニタ等からなる。ここで、制御部２１２は、ユニークコード生成部２１６により生成されたユニークコードを出力する出力部として機能するようになっており、出力されたユニークコードは例えば表示部２１８に表示されるようになっている。このような受付処理機２１０が各テラーに対応して設けられていることにより、ジャーナルを受け取ったテラーは、受け取ったジャーナルにおける入金情報からユニークコードを手計算しなくても、読み取り部２１４によりジャーナルを読み取らせることによって、ユニークコード生成部２１６により生成されたユニークコードを表示部２１８に表示させることができる。このようにして、ジャーナルに印字されたユニークコードを、表示部２１８に表示されたユニークコードと照合することにより、正規のジャーナルであるか否かを確認することができる。
【００５６】
以上のように本実施の形態の紙幣入金機１およびこのような紙幣入金機１を備えた貨幣処理システムによれば、ユニークコード生成部８０は、プリンター６によりジャーナルに印字される入金情報に基づいて、ジャーナルを受け取るテラー（受取者）が当該ジャーナルの真偽を判断するのに有用な情報であるユニークコードを生成し、プリンター６は、入金情報に加えて、ユニークコード生成部８０により生成されたユニークコードもジャーナルに印字するようになっている。このように、ユニークコードをジャーナルに印字することにより、テラーはユニークコードに基づいてジャーナルの真偽を判断することができるため、ジャーナルが偽造または変造された場合でもテラーが入金者の銀行口座に現金を誤って振り込んでしまうことを防止することができる。しかも紙幣入金機１をオフラインで運用することができるためコストを低減することができる。
【００５７】
とりわけ、ジャーナルに印字される入金情報として、入金年月日や入金時刻が含まれている場合には、入金年月日や入金時刻によってユニークコードの値も変わってくるので、ジャーナルの偽造や変造を行う際にユニークコードの特定がより困難となり、ジャーナルが偽造または変造された場合にテラーが入金者の銀行口座に現金を誤って振り込んでしまうことをより一層防止することができる。
【００５８】
なお、上述した態様では、ユニークコード生成部８０は、プリンター６により印字される入金情報の全部に基づいてユニークコードを生成しているが、このような例に限定されることはない。ユニークコード生成部８０は、プリンター６により印字される入金情報の一部のみに基づいてユニークコードを生成するようになっていてもよい。例えば、ユニークコード生成部８０は、入金情報における金種毎の紙幣の枚数や合計金額に係る数字を考慮せず、入金年月日、入金時刻、入金ＩＤ情報のみに基づいてユニークコードを生成してもよい。また、ユニークコード生成部８０は、プリンター６によりジャーナルに印字される入金情報の一部または全部に加えて、ジャーナルに印字されない情報も参照してユニークコードを生成してもよい。ジャーナルに印字されない情報としては、例えば店舗の支店コードの数字（具体的には、例えば３桁または４桁の数字）が挙げられる。すなわち、ユニークコード生成部８０は、プリンター６によりジャーナルに印字される入金情報に係る数字に、店舗の支店コードの数字の各桁の値の和を加えることによりユニークコードを生成してもよい。
【００５９】
また、ユニークコード生成部８０により生成されるユニークコードは、図７および図８に示すような数字に限定されることはない。ユニークコードとして、数字以外にも、アルファベットやバーコードを用いてもよい。また、ユニークコード生成部８０により生成されるユニークコードとして、数字、アルファベット、バーコードの一部または全部を組み合わせたものを用いてもよい。
【００６０】
また、本実施の形態では、各テラーに対応して受付処理機２１０が設けられており、当該受付処理機２１０は、紙幣入金機１のユニークコード生成部８０によるユニークコードの生成方法と同じ方法でユニークコードを生成するユニークコード生成部２１６と、ユニークコード生成部２１６により生成されたユニークコードを出力する制御部２１２と、を有している。このことにより、ジャーナルを受け取ったテラーは、受け取ったジャーナルにおける入金情報からユニークコードを手計算しなくても、ユニークコード生成部２１６によりユニークコードを生成させることにより、ジャーナルに印字されたユニークコードを、ユニークコード生成部２１６により生成されたユニークコードと照合することができるようになる。
【００６１】
〔第２の実施の形態〕
以下、図面を参照して本発明の第２の実施の形態について説明する。図９は、第２の実施の形態に係る紙幣入金機におけるＩＤ入力方法を示すフローチャートであり、図１０は、図９に示すＩＤ入力方法においてＩＤ２回入力処理モードを行った際の紙幣入金機の表示入力部のモニタにおける表示画面を示す図である。なお、以下に示す第２の実施の形態の説明において、第１の実施の形態と共通する部分についてはその説明を省略する。また、以下に示す第２の実施の形態では、第１の実施の形態における紙幣入金機１と同様の構成のものが用いられる。
【００６２】
一般的な紙幣入金機では、操作者が入金処理や回収処理等の様々な処理を行う際に、操作者のＩＤ情報を入力し、入力された操作者のＩＤ情報に基づいて当該操作者の権限の照合が行われるようになっている。これに対し、本実施の形態の紙幣入金機１では、一人の操作者のＩＤ情報の入力が必要となる通常処理モードと、二人の操作者のＩＤ情報の入力が必要となるＩＤ２回入力処理モードのうちいずれか一方のモードを選択的に実行することができるようになっている。
【００６３】
本実施の形態の紙幣入金機１によるＩＤ入力方法について図９に示すフローチャートおよび図１０に示す表示入力部５のモニタ５ａにおける表示画面を示す図を用いて説明する。
【００６４】
紙幣入金機１において操作者が処理を行う際に、まず、操作者は、通常処理モードおよびＩＤ２回入力処理モードのうちどちらの処理モードを実行するかを表示入力部５の入力キー５ｂにより入力する（ＳＴＥＰ１０１）。ここで、操作者が通常処理モードを選択した場合には、操作者は、自分のＩＤ情報を紙幣入金機１に入力する（ＳＴＥＰ１０２）。ここで、ＩＤ情報の入力は、表示入力部５の入力キー５ｂやテンキー７によりＩＤ情報に係る数字を操作者が入力してもよいし、あるいは、操作者が保持するＩＤカードをカード読取部８により読み取らせることにより当該操作者のＩＤ情報が自動的に制御部５０に入力されてもよい。
【００６５】
制御部５０は、入力された操作者のＩＤ情報に基づいて、当該操作者の権限の照合を行う（ＳＴＥＰ１０３）。その後、照合された操作者の権限内で、当該操作者は入金処理や回収処理等の処理モードを選択する（ＳＴＥＰ１０４）。このようにして、紙幣入金機１においてモード別処理が行われる（ＳＴＥＰ１０５）。
【００６６】
次に、ＩＤ２回入力処理モードについて以下に説明する。ＩＤ２回入力処理モードとは、前述したように、２人の操作者がそれぞれＩＤ情報を紙幣入金機１に入力するようなモードのことをいう。紙幣入金機１において操作者が処理を行う際に、ＩＤ２回入力処理モードを実行することを選択した場合には、まず、図１０（ａ）に示すような、第１の操作者のＩＤ情報の入力画面が表示入力部５のモニタ５ａに表示される。そして、図１０（ｂ）に示すように、第１の操作者が表示入力部５の入力キー５ｂやテンキー７により自分のＩＤ情報の数字を入力する（ＳＴＥＰ１０６）。制御部５０は、入力された第１の操作者のＩＤ情報に基づいて、第１の操作者の権限の照合を行う（ＳＴＥＰ１０７）。その後、図１０（ｂ）に示すような表示画面において、第１の操作者は入金処理や回収処理等の処理モードを選択する（ＳＴＥＰ１０８）。
【００６７】
第１の操作者が処理モードを選択すると、図１０（ｃ）に示すような、第２の操作者のＩＤ情報の入力画面が表示入力部５のモニタ５ａに表示される。そして、図１０（ｄ）に示すように、第２の操作者が表示入力部５の入力キー５ｂやテンキー７により自分のＩＤ情報の数字を入力する（ＳＴＥＰ１０９）。制御部５０は、入力された第２の操作者のＩＤ情報に基づいて、第２の操作者の権限の照合を行う（ＳＴＥＰ１１０）。その後、照合された第１の操作者および第２の操作者の権限内で、紙幣入金機１においてモード別処理が行われる。この際に、表示入力部５のモニタ５ａには図１０（ｅ）に示すような画面が表示される。このように、ＩＤ２回入力処理モードでは、２人の操作者のＩＤ情報に基づく権限の照合が行われないと、紙幣入金機１で紙幣の処理を行うことができないため、操作者が一人だけだと紙幣入金機１で処理を行うことができなくなる。
【００６８】
このようなＩＤ２回入力処理モードの運用例について以下に説明する。紙幣入金機１から収納カセット７０を回収するような回収処理を行う際に、警送会社の警備員による収納カセット７０の盗難が想定される。これに対し、紙幣入金機１において回収処理を行う際に、店舗の店長および警送会社の警備員の２人により回収処理を行うことにより、警備員による収納カセット７０の盗難を防止することができる。この場合には、ＩＤ２回入力処理モードにおいて、店長のＩＤ情報および警備員のＩＤ情報をそれぞれ紙幣入金機１に入力し、店長および警備員の権限をそれぞれ照合するようになる。このようにして、警備員単独では紙幣入金機１から収納カセット７０を回収することができなくなる。
【００６９】
また、第１の実施の形態でも説明したが、紙幣入金機１では、識別部４０で識別できない損券・損貨や、商品券、小切手等の現金以外の有価媒体を、集積部６０から収納カセット７０に直接収納させる場合もある。このような場合には、操作者が集積部６０に有価媒体等を直接投入するため、操作者のミスにより収納カセット７０への有価媒体等の誤入金が生じる場合がある。これに対し、本実施の形態では、収納カセット７０に有価媒体等を直接投入する際に、店舗の店長および店員の２人により処理を行うことにより、収納カセット７０への有価媒体等の誤入金を防止することができる。この場合には、ＩＤ２回入力処理モードにおいて、店長のＩＤ情報および店員のＩＤ情報をそれぞれ紙幣入金機１に入力し、店長および店員の権限をそれぞれ照合するようになる。このようにして、一人の店員では収納カセット７０に有価媒体等を直接投入することができなくなる。
【００７０】
以上のように第２の実施の形態に係る紙幣入金機１では、ＩＤ２回入力処理モードを選択的に実行することができるため、紙幣入金機１から収納カセット７０を回収するような回収処理を行う際に警備員によって収納カセット７０が盗難されることを防止したり、操作者のミスにより収納カセット７０への有価媒体等の誤入金が生じてしまうことを防止したりすることができる。
【００７１】
〔第３の実施の形態〕
以下、図面を参照して本発明の第３の実施の形態について説明する。図１１は、第３の実施の形態に係る紙幣入金機におけるＩＤ入力方法を示すフローチャートであり、図１２は、図１１に示すＩＤ入力方法においてＩＤ非表示処理モードを行った際の紙幣入金機の表示入力部のモニタにおける表示画面を示す図である。なお、以下に示す第３の実施の形態の説明において、第１の実施の形態や第２の実施の形態と共通する部分についてはその説明を省略する。また、以下に示す第３の実施の形態では、第１の実施の形態における紙幣入金機１と同様の構成のものが用いられる。
【００７２】
紙幣入金機１から収納カセット７０を回収するような回収処理を行う際に、警送会社の警備員は自分のＩＤ情報を表示入力部５の入力キー５ｂ等により入力することによって当該警備員の権限を照合するようになっている。この際に、ＩＤ情報の入力中に表示入力部５のモニタ５ａにＩＤ情報に係る数字が表示されると、店舗の店員等がモニタ５ａを覗き見ることによって、警備員のＩＤ情報が漏洩するおそれがある。第３の実施の形態は、警備員が紙幣入金機１から収納カセット７０を回収する際に、警備員のＩＤ情報が漏洩することを防止する方法に関するものである。
【００７３】
本実施の形態における紙幣入金機１によるＩＤ入力方法について図１１に示すフローチャートおよび図１２に示す表示入力部５のモニタ５ａにおける表示画面を示す図を用いて説明する。
【００７４】
紙幣入金機１において操作者が処理を行う際に、まず、図１２（ａ）や（ｃ）に示すように、表示入力部５のモニタ５ａにはＩＤ情報の入力画面が表示される。ここで、表示入力部５の入力キー５ｂやテンキー７によりＩＤ情報に係る数字を操作者が入力すると（ＳＴＥＰ２０１の「ＹＥＳ」）、制御部５０は、入力された操作者のＩＤ情報に基づいて、当該操作者の権限の照合を行う（ＳＴＥＰ２０２）。なお、この際に、図１２（ｂ）に示すように、操作者により入力されたＩＤ情報に係る数字は表示入力部５のモニタ５ａに表示されるようになる。その後、照合された操作者の権限内で、当該操作者は入金処理や回収処理等の処理モードを選択する（ＳＴＥＰ２０３）。このようにして、紙幣入金機１においてモード別処理が行われる（ＳＴＥＰ２０４）。具体的には、例えば操作者が入金ボタンを押下して入金モードを選択すると、入金処理が実行される。
【００７５】
一方、図１２（ａ）や（ｃ）に示すように、表示入力部５のモニタ５ａにＩＤ情報の入力画面が表示されているときに、操作者がＩＤ情報に係る数字を入力する代わりに、回収ボタンを押下して回収モードを選択すると（ＳＴＥＰ２０５の「ＹＥＳ」）、回収モードが選択されたことがモニタ５ａに表示される。具体的には、図１２（ｄ）において「ＣＯＬＬＥＣＴＩＯＮ」と表示される。その後、表示入力部５の入力キー５ｂやテンキー７によりＩＤ情報に係る数字を操作者が入力すると（ＳＴＥＰ２０６）、制御部５０は、入力された操作者のＩＤ情報に基づいて、当該操作者の権限の照合を行う（ＳＴＥＰ２０７）。なお、この際に、図１２（ｅ）に示すように、操作者により入力されたＩＤ情報に係る数字は表示入力部５のモニタ５ａに表示されない。その後、紙幣入金機１において回収処理が行われる（ＳＴＥＰ２０８）。
【００７６】
なお、本実施の形態の紙幣入金機１では、回収処理においてＩＤ情報を入力したときに表示入力部５のモニタ５ａにＩＤ情報に係る数字が常に表示されるような通常回収運用と、図１１および図１２に示すようなＩＤ非表示運用とを設定により切り替えることができるようになっていてもよい。このような設定の切替方法としては、ＳＤカードを紙幣入金機１におけるＳＤカード読取部（図示せず）に差し込むことによって当該ＳＤカードに記憶された設定を読み込む方法や、上位インターフェースによって紙幣入金機１における運用方法を切り替える方法等が挙げられる。
【００７７】
以上のように第３の実施の形態に係る紙幣入金機１によれば、警備員が紙幣入金機１から収納カセット７０を回収するような回収処理を行う際には、表示入力部５のモニタ５ａにＩＤ情報の入力画面が表示されているときに、回収ボタンを押下して回収モードを選択することによって、入力されたＩＤ情報に係る数字を非表示とすることができる。一方、入金者が入金処理を行う際には、表示入力部５のモニタ５ａにＩＤ情報の入力画面が表示されているときに、ＩＤ情報を入力することにより、入力されたＩＤ情報に係る数字を表示することができ、入力したＩＤ情報に係る数字が正しいか否かを確認することができるようになる。このように、第３の実施の形態に係る紙幣入金機１では、通常の入金モードでは入力されたＩＤ情報を表示入力部５のモニタ５ａに表示させることにより操作性を良好なものとしつつ、収納カセット７０の回収処理時には警備員のＩＤ情報の漏洩を防止することができ、セキュリティ性を向上させることができる。
【００７８】
〔第４の実施の形態〕
以下、図面を参照して本発明の第４の実施の形態について説明する。図１３は、第４の実施の形態に係る紙幣入金機における収納カセットの交換方法を示すフローチャートである。なお、以下に示す第４の実施の形態の説明において、第１の実施の形態〜第３の実施の形態と共通する部分についてはその説明を省略する。また、以下に示す第４の実施の形態では、第１の実施の形態における紙幣入金機１と同様の構成のものが用いられる。
【００７９】
図２等に示すような紙幣入金機１を店舗に設置する際に、設置員は、収納カセット７０を取り出した状態で紙幣入金機１を所定位置に配置し、内部からアンカーボルト等で床面に固定する。次に、紙幣入金機１内に収納カセット７０を設置する必要がある。このため、従来では、紙幣入金機１において設置員用のＩＤ情報が登録され、設置員はこのＩＤ情報を入力することにより収納カセット７０の設置や交換等を行っていた。しかしながら、このような方法では、悪意ある設置員が紙幣入金機１にて登録されたＩＤ情報を消さずに紙幣入金機１の設置作業を終了し、後日、この設置員が設置員用のＩＤ情報を使用することにより収納カセット７０を盗難するおそれがある。
【００８０】
これに対し、本実施の形態の紙幣入金機１では、収納カセット７０内に紙幣等が存在しないときには、ＩＤ情報を入力しなくても、紙幣入金機１の扉７７を開いて収納カセット７０を取り出すことができるようになっている。このような紙幣入金機１における収納カセット７０の交換方法について図１３に示すフローチャートを用いて説明する。
【００８１】
図１３に示すように、設置員が収納カセット７０の交換動作処理を行うにあたり、当該設置員が表示入力部５の入力キー５ｂにより収納カセット７０の交換の指令を入力すると、制御部５０は収納カセット７０の在高をチェックする（ＳＴＥＰ３０１）。そして、収納カセット７０内に紙幣が存在しない場合には（ＳＴＥＰ３０２の「ＮＯ」）、紙幣入金機１の扉７７の電磁キーが解錠され、当該扉７７を開くことが可能となり、収納カセット７０を取り出し可能となる（ＳＴＥＰ３０３）。一方、収納カセット７０内に紙幣が存在する場合には（ＳＴＥＰ３０２の「ＹＥＳ」）、紙幣入金機１の扉７７の電磁キーは解錠されず扉７７はロックされたままとなり、収納カセット７０は取り出し不可となる（ＳＴＥＰ３０４）。紙幣入金機１の設置時には収納カセット７０内に紙幣が存在しないので、紙幣入金機１において設置員のＩＤ情報の登録を行わなくても、また、設置員がＩＤ情報を入力しなくても、収納カセット７０の交換が可能となる。一方、紙幣入金機１が設置された後、当該紙幣入金機１において入金処理等が行われると、収納カセット７０内に紙幣が存在するようになるので、設置員は収納カセット７０を紙幣入金機１から取り出すことができなくなる。
【００８２】
なお、図１３のフローチャートに示すような紙幣入金機１の動作は、紙幣入金機１の設置時に限定されることはない。例えば、紙幣入金機１のメンテナンス時にも、収納カセット７０内に紙幣が存在しない場合には、操作者のＩＤ情報を入力しなくても紙幣入金機１の扉７７の電磁キーが解錠され、メンテナンス員は扉７７を開くことが可能となり、収納カセット７０を取り出し可能となっていてもよい。また、第４の実施の形態における他の変形例として、記憶部５４に取引履歴が記憶されているか否かをチェックし、記憶されていない場合（すなわち、紙幣入金機１の新規設置状態）に限り、ＩＤ情報を入力することなく、収納カセット７０の出し入れを行えるようにしてもよい。
【００８３】
以上のように第４の実施の形態の紙幣入金機１によれば、紙幣入金機１において設置員用のＩＤ情報の登録を行う必要がないため、紙幣入金機１の設置後において設置員による収納カセット７０の盗難を防止することができ、また、紙幣入金機１の設置時において工数を削減することができる。
【００８４】
〔第５の実施の形態〕
以下、本発明の第５の実施の形態について説明する。なお、以下に示す第５の実施の形態の説明において、第１の実施の形態〜第４の実施の形態と共通する部分についてはその説明を省略する。また、以下に示す第５の実施の形態では、第１の実施の形態における紙幣入金機１と同様の構成のものが用いられる。
【００８５】
一般的な紙幣入金機では、操作者の様々な言語や取扱通貨に対応するために、表示される言語の設定や識別できる取扱通貨の設定を行うことができるようになっている。より詳細には、従来の紙幣入金機では、操作者毎のＩＤ情報が設定されているが、例えば日本人である第１の操作者が紙幣入金機で入金処理を行う場合には、この第１の操作者は自分のＩＤ情報を紙幣入金機に入力するとともに、表示入力部等によって、モニタの表示言語を日本語に設定し、また、取扱通貨を日本円通貨に設定する。そして、第１の操作者は日本語の表示を参照しながら紙幣入金機に日本円通貨の紙幣を入金する。その後、例えばアメリカ人である第２の操作者が紙幣入金機で入金処理を行う場合には、この第２の操作者は自分のＩＤ情報を紙幣入金機に入力するとともに、表示入力部等によって、モニタの表示言語を英語に設定し、また、取扱通貨をアメリカドル通貨に設定する。そして、第２の操作者は英語の表示を参照しながら紙幣入金機にアメリカドル通貨の紙幣を入金する。しかしながら、このような従来の紙幣入金機では、ある操作者が入金処理等の処理を行おうとしたときに、言語の設定や取扱通貨の設定が自分の言語とは別のものに変えられていた場合には、この操作者は都度自分の言語や取扱通貨に設定し直す必要があり、操作がわずらわしいという問題があった。
【００８６】
これに対して本実施の形態では、紙幣入金機１において、操作者毎にＩＤ情報、言語および取扱通貨が設定されるようになっている。具体的には、紙幣入金機１において、操作者毎のＩＤ情報に、言語および取扱通貨が紐付けられるようになっている。そして、例えば日本人である第１の操作者が紙幣入金機１で入金処理を行う場合には、この第１の操作者は自分のＩＤ情報を紙幣入金機１に入力するだけで、モニタ５ａの表示言語が自動的に日本語に設定され、また、取扱通貨が自動的に日本円通貨に設定される。このようにして、第１の操作者は紙幣入金機１に日本円通貨の紙幣を入金することができるようになる。その後、例えばアメリカ人である第２の操作者が紙幣入金機１で入金処理を行う場合には、この第２の操作者は自分のＩＤ情報を紙幣入金機１に入力するだけで、モニタ５ａの表示言語が自動的に英語に設定され、また、取扱通貨が自動的にアメリカドル通貨に設定される。このようにして、第２の操作者は紙幣入金機１にアメリカドル通貨の紙幣を入金することができるようになる。
【００８７】
本実施の形態では、前述のように、紙幣入金機１において、操作者毎にＩＤ情報、言語および取扱通貨が設定されるようになっているが、このような設定は、紙幣入金機１の管理者が行ってもよく、あるいは、前回の同一操作者の入金処理における設定を記憶部５４に記憶させ、この記憶部５４に記憶された設定情報をそのまま用いてもよい。
【００８８】
以上のように第５の実施の形態の紙幣入金機１によれば、操作者がＩＤ情報を入力した後、モニタ５ａの表示言語および取扱通貨が自動的に設定されるため、国際空港や繁華街の店舗等、複数の言語や通貨が混在するような場所に紙幣入金機１を設置した場合でも、操作者にとっての操作性を向上させることができるとともに、操作者が誤って運用してしまうことを防止することができる。
【符号の説明】
【００８９】
１  紙幣入金機
１ａ  筐体
５  表示入力部
５ａ  モニタ
５ｂ  入力キー
６  プリンター
７  テンキー
８  カード読取部
１０  挟持搬送機構
２０  載置部
２５  受入部
２６  キッカローラ
２７ａ  フィードローラ
２７ｂ  ゲートローラ
３０  搬送部
３１  搬送ベルト
３２  搬送ローラ
３５  羽根車
３５ａ  羽根
４０  識別部
５０  制御部
５４  記憶部
５６  インターフェース部
６０  集積部
６０ａ  紙幣有無検知センサ
６２  前面シャッター部
６４  支持部
６５  リジェクト部
７０  収納カセット
７１  スリット開口部
７２  スリットシャッター部
７５  収納筐体
７６  把手
７７  扉
８０  ユニークコード生成部
１００  金融機関の店舗
２００  窓口カウンター
２１０  受付処理機
２１２  制御部
２１４  読み取り部
２１６  ユニークコード生成部
２１８  表示部
３００  テーブル
【図１】
2014035648.tif 000003
【図２】
2014035648.tif 000004
【図３】
2014035648.tif 000005
【図４】
2014035648.tif 000006
【図５Ａ】
2014035648.tif 000007
【図５Ｂ】
2014035648.tif 000008
【図６】
2014035648.tif 000009
【図７】
2014035648.tif 000010
【図８】
2014035648.tif 000011
【図９】
2014035648.tif 000012
【図１０】
2014035648.tif 000013
【図１１】
2014035648.tif 000014
【図１２】
2014035648.tif 000015
【図１３】
2014035648.tif 000016